(57)【要約】【課題】複数音声による放送が行われる放送局から、ユーザが視聴を所望する言語による放送局を一覧として抽出する。【解決手段】放送電波を全周波数帯においてチャンネルスキャンし、各放送局から送信される放送電波に含まれる言語情報コードをマイコン４により識別及び記憶を行い、言語情報コード毎に放送局を分類し、これを一覧として表示することで、ユーザが視聴を所望する言語により放送を行う放送局を容易に把握することができる。【選択図】図１
2007201912.tif 000002
【特許請求の範囲】
【請求項１】
複数の音声データを有することが可能なデータ構造で送信され、前記複数の音声データに対応する言語情報を示す言語情報コードを有するデジタルテレビジョン放送電波を受信可能なチューニング手段と、
前記チューニング手段により受信した映像音声信号を表示部若しくは外部表示装置に出力する映像音声出力手段と、
装置の動作の制御を行う制御手段とを備える電子機器において、
前記チューニング手段により、チャンネルスキャンを行い、有効な放送を受信した際に、前記制御手段は、該有効な放送に含まれる前記言語情報コードを記憶し、受信可能な周波数全体に対してチャンネルスキャンが終了した後、前記言語情報コード毎に放送局を分類し、リスト化して前記映像音声出力手段により出力することを特徴とする番組音声の言語による放送局抽出方法。
【請求項２】
前記データ構造は、Ｔｒａｎｓｐｏｒｔ  Ｓｔｒｅａｍフォーマットであり、前記言語情報コードは、前記Ｔｒａｎｓｐｏｒｔ  Ｓｔｒｅａｍフォーマットが有するＰＳＩＰ（Ｐｒｏｇｒａｍ  Ｓｐｅｃｉｆｉｃ  Ｉｎｆｏｒｍａｔｉｏｎ  Ｐｒｏｔｏｃｏｌ：番組仕様情報）に含まれるＥＩＴ（Ｅｖｅｎｔ  Ｉｎｆｏｒｍａｔｉｏｎ  Ｔａｂｌｅ：イベント情報テーブル）が有するＳＬＤ（Ｓｅｒｖｉｃｅ  Ｌｏｃａｔｉｏｎ  Ｄｅｓｃｒｉｐｔｏｒ）に設定される複数の要素の情報の内の１つであるＩＳＯ＿６３９＿Ｌａｎｇｕａｇｅ＿ｃｏｄｅを用いることを特徴とする請求項１記載の番組音声の言語による放送局抽出方法。
【請求項３】
請求項１又は２記載の番組音声の言語による放送局抽出方法を備え、前記デジタルテレビジョン放送電波から、予め設定された若しくはユーザが選択した言語情報コードにより放送局を抽出し、所定の操作により該抽出された放送局を一覧表示することを特徴とする番組音声の言語による放送局抽出方法を備える電子機器。
【請求項４】
前記言語情報コード毎に分類される放送局を、前記言語情報コード毎に切り替えて前記映像音声出力手段に一覧表示する言語別放送局表示切替手段を備えることを特徴とする請求項３記載の番組音声の言語による放送局抽出方法を備える電子機器。
【請求項５】
所定の期間内におけるユーザが視聴する番組の利用時間及び利用回数を、言語情報コード毎に集計して記憶し、前記一覧表示を利用頻度に応じて並び換える放送局リスト並び換え手段を備えることを特徴とする請求項３又は４記載の番組音声の言語による放送局抽出方法を備える電子機器。
【発明の詳細な説明】
【技術分野】
【０００１】
本発明は、デジタル放送を受信し、放送番組を再生する装置において、複数の出力音声を再生可能な番組を放送する放送局から、ユーザが視聴を所望する言語により番組を放送する放送局を抽出して一覧化し、表示することができる番組音声の出力言語による放送局抽出方法及びそれを備えた装置に関する。
【背景技術】
【０００２】
近年、デジタル放送受信可能なテレビジョン受像機などの電子機器の利用状況は、２０１１年を皮切りに全国的に開始されるデジタル放送に向けて急速に広がっている。デジタル放送では、従来のような放送番組の映像と主音声及び副音声の他に、多様な情報及び多種に亘る言語による音声データを提供可能としている。この多様な情報に基づいて、ユーザの利便性を向上させるために様々な方法が開示されている。
【０００３】
例えば、特許文献１では、放送中の番組から発せられる音声をテキスト化し、キーワードとしてデータベースに登録を行い、ユーザによる音声若しくはテキストの入力により、データベースを検索し、音声若しくは文字情報としてユーザに通知をする放送番組蓄積装置が開示されている。
【０００４】
また、特許文献２では、複数の音声を有する放送番組において、事前にユーザにより設定した言語の音声により放送を行うことができるテレビ番組ガイドを用いたシステムが開示されている。
【０００５】
【特許文献１】特開２００４−３６２２８０号公報
【特許文献２】特表２００３−５０４９８４号公報
【発明の開示】
【発明が解決しようとする課題】
【０００６】
しかしながら、特許文献１の方法では、番組のタイトルや内容などを検索することはできるが、１つ放送番組に対して複数の音声が存在するような放送において、ユーザが当該音声を選択可能とする方法は開示されておらず、また特許文献２では、事前に設定した言語により、複数の音声を有する放送番組の視聴時に、設定した言語による音声を選択した状態で放送番組の視聴を行うことができるが、ユーザが視聴を所望する言語により放送を行っている放送局を把握することは、チャンネルを１つずつ変更して確認しなければならない。
【０００７】
本発明は上記課題を鑑みてなされたものであり、番組音声言語によって放送局を抽出してリスト化することにより、ユーザが視聴を所望する言語による放送局を容易に選択できる番組音声の出力言語による放送局抽出方法を提供することを目的とする。
【課題を解決するための手段】
【０００８】
請求項１に係る番組音声の言語による放送局抽出方法は、複数の音声データを有することが可能なデータ構造で送信され、前記複数の音声データに対応する言語情報を示す言語情報コードを有するデジタルテレビジョン放送電波を受信可能なチューニング手段と、
前記チューニング手段により受信した映像音声信号を表示部若しくは外部表示装置に出力する映像音声出力手段と、
装置の動作の制御を行う制御手段とを備える電子機器において、
前記チューニング手段により、チャンネルスキャンを行い、有効な放送を受信した際に、前記制御手段は、該有効な放送に含まれる前記言語情報コードを記憶し、受信可能な周波数全体に対してチャンネルスキャンが終了した後、前記言語情報コード毎に放送局を分類し、リスト化して前記映像音声出力手段により出力することを特徴とする。
【０００９】
請求項１の構成によれば、複数の音声データを有することが可能なデータ構造により送信される放送電波に対して、受信した放送毎に放送電波に含まれる放送番組の音声がどの言語によるものかを示す言語情報コードを記憶し、受信した全ての放送局を言語情報コード毎、即ち音声の言語毎に分類して一覧表示を行うことができる。
【００１０】
請求項２に係る番組音声の言語による放送局抽出方法は、請求項１に記載の番組音声の言語による放送局抽出方法において、前記データ構造は、Ｔｒａｎｓｐｏｒｔ  Ｓｔｒｅａｍフォーマットであり、前記言語情報コードは、前記Ｔｒａｎｓｐｏｒｔ  Ｓｔｒｅａｍフォーマットが有するＰＳＩＰ（Ｐｒｏｇｒａｍ  Ｓｐｅｃｉｆｉｃ  Ｉｎｆｏｒｍａｔｉｏｎ  Ｐｒｏｔｏｃｏｌ：番組仕様情報）に含まれるＥＩＴ（Ｅｖｅｎｔ  Ｉｎｆｏｒｍａｔｉｏｎ  Ｔａｂｌｅ：イベント情報テーブル）が有するＳＬＤ（Ｓｅｒｖｉｃｅ  Ｌｏｃａｔｉｏｎ  Ｄｅｓｃｒｉｐｔｏｒ）に設定される複数の要素の情報の内の１つであるＩＳＯ＿６３９＿Ｌａｎｇｕａｇｅ＿ｃｏｄｅを用いることを特徴とする。
【００１１】
請求項２の構成によれば、既存のデジタル放送のデータ構造であるＴｒａｎｓｐｏｒｔ  Ｓｔｒｅａｍフォーマットを用い、このフォーマットが備え、１つの放送番組を重畳する放送電波に含まれる複数の音声の、それぞれの言語を示すＩＳＯ＿６３９＿Ｌａｎｇｕａｇｅ＿ｃｏｄｅにより、放送番組の複数の音声に対してどの種類の言語が使用されているかを識別することができる。
【００１２】
請求項３に係る番組音声の言語による放送局抽出方法を備える電子機器は、請求項１又は２記載の番組音声の言語による放送局抽出方法を備え、前記デジタルテレビジョン放送電波から、予め設定された若しくはユーザが選択した言語情報コードにより放送局を抽出し、所定の操作により該抽出された放送局を一覧表示することを特徴とする。
【００１３】
請求項３の構成によれば、ユーザにより予め設定された、若しくは選択された言語情報コードにより、言語情報コード毎に分類された放送局から該当する言語情報コードの放送局のみを抽出し、一覧表示をすることができる。
【００１４】
請求項４に係る番組音声の言語による放送局抽出方法を備える電子機器は、請求項３記載の番組音声の言語による放送局抽出方法を備える電子機器において、前記言語情報コード毎に分類される放送局を、前記言語情報コード毎に切り替えて前記映像音声出力手段に一覧表示する言語別放送局表示切替手段を備えることを特徴とする。
【００１５】
請求項４の構成によれば、言語情報コード毎に分類された放送局の一覧を表示部若しくは表示装置等に表示する際に、言語情報コード毎に表示することができ、更に表示中の放送局の一覧を切り替えることにより、他の言語情報コードで分類された放送局の一覧を表示することができる。
【００１６】
請求項５に係る番組音声の言語による放送局抽出方法を備える電子機器は、請求項４に記載の番組音声の言語による放送局抽出方法を備える電子機器において、所定の期間内におけるユーザが視聴する番組の利用時間及び利用回数を、言語情報コード毎に集計して記憶し、前記一覧表示を利用頻度に応じて並び換える放送局リスト並び換え手段を備えることを特徴とする。
【００１７】
請求項５の構成によれば、電子機器を使用する際に、利用者が視聴する番組の音声がどの言語であるか、及び視聴時間、視聴回数等を言語情報コード毎に記録し、利用頻度の高い言語情報コード順に並び換えを行い、言語別放送局表示切替手段によるリストの表示順を設定することができる。
【発明の効果】
【００１８】
請求項１に係る番組音声の言語による放送局抽出方法は、複数の音声データを有することが可能なデータ構造で送信され、前記複数の音声データに対応する言語情報を示す言語情報コードを有するデジタルテレビジョン放送電波を受信可能なチューニング手段と、
前記チューニング手段により受信した映像音声信号を表示部若しくは外部表示装置に出力する映像音声出力手段と、
装置の動作の制御を行う制御手段とを備える電子機器において、
前記チューニング手段により、チャンネルスキャンを行い、有効な放送を受信した際に、前記制御手段は、該有効な放送に含まれる前記言語情報コードを記憶し、受信可能な周波数全体に対してチャンネルスキャンが終了した後、前記言語情報コード毎に放送局を分類し、リスト化して前記映像音声出力手段により出力するので、二ヶ国語放送などの複数言語による放送を行う放送局を、音声の言語毎に分類することができ、ユーザは慣れ親しむ言語などの所望の言語による放送を容易に識別することができる。
【００１９】
請求項２に係る番組音声の言語による放送局抽出方法は、請求項１に記載の番組音声の言語による放送局抽出方法において、前記データ構造は、Ｔｒａｎｓｐｏｒｔ  Ｓｔｒｅａｍフォーマットであり、前記言語情報コードは、前記Ｔｒａｎｓｐｏｒｔ  Ｓｔｒｅａｍフォーマットが有するＰＳＩＰ（Ｐｒｏｇｒａｍ  Ｓｐｅｃｉｆｉｃ  Ｉｎｆｏｒｍａｔｉｏｎ  Ｐｒｏｔｏｃｏｌ：番組仕様情報）に含まれるＥＩＴ（Ｅｖｅｎｔ  Ｉｎｆｏｒｍａｔｉｏｎ  Ｔａｂｌｅ：イベント情報テーブル）が有するＳＬＤ（Ｓｅｒｖｉｃｅ  Ｌｏｃａｔｉｏｎ  Ｄｅｓｃｒｉｐｔｏｒ）に設定される複数の要素の情報の内の１つであるＩＳＯ＿６３９＿Ｌａｎｇｕａｇｅ＿ｃｏｄｅを用いるので、既存のデータ構造を用いて、放送局を番組音声の言語毎に分類することが可能である。
【００２０】
請求項３に係る番組音声の言語による放送局抽出方法を備える電子機器は、請求項１又は２記載の番組音声の言語による放送局抽出方法を備え、前記デジタルテレビジョン放送電波から、予め設定された若しくはユーザが選択した言語情報コードにより放送局を抽出し、所定の操作により該抽出された放送局を一覧表示するので、ユーザが視聴を所望する言語による番組を放送している放送局のみを抽出して表示することにより、ユーザが容易に所望の放送局を選局し、番組を視聴することができる。
【００２１】
請求項４に係る番組音声の言語による放送局抽出方法を備える電子機器は、請求項３記載の番組音声の言語による放送局抽出方法を備える電子機器において、前記言語情報コード毎に分類される放送局を、前記言語情報コード毎に切り替えて前記映像音声出力手段に一覧表示する言語別放送局表示切替手段を備えるので、初期に表示される言語情報コードの放送局一覧から、他の言語情報コードの放送局一覧の閲覧を容易に行うことができる。
【００２２】
請求項５に係る番組音声の言語による放送局抽出方法を備える電子機器は、請求項４に記載の番組音声の言語による放送局抽出方法を備える電子機器において、所定の期間内におけるユーザが視聴する番組の利用時間及び利用回数を、言語情報コード毎に集計して記憶し、前記一覧表示を利用頻度に応じて並び換える放送局リスト並び換え手段を備えるので、ユーザの視聴頻度がより高い言語順によって言語情報コード毎の放送局一覧が表示されるため、ユーザが所望の言語による放送を行う放送局の選局をよりすばやく行うことができる。
【発明を実施するための最良の形態】
【００２３】
以下、本発明を実施するための最良の形態としての実施例を図１から図７を参照して説明する。もちろん、本発明は、その発明の趣旨に反さない範囲で、実施例において説明した以外のものに対しても容易に適用可能なことは説明を要するまでもない。
【００２４】
図１〜図１０は、本発明の一実施例を示し、図１は、番組音声の言語による放送局抽出方法を備える電子機器たるデジタルテレビジョン受像機の構成を示すブロック図である。図２は、放送電波のデータ形式であるＴｒａｎｓｐｏｒｔ  Ｓｔｒｅａｍフォーマットのデータ構造を示す説明図である。図３はＥＩＴに含まれるＳＬＤの構文を示す説明図である。図４はＳＬＤにおける言語情報コードの設定構造の概念を示す説明図である。図５は、番組音声の言語による放送局抽出方法を備える電子機器の動作を示すフローチャート図である。図６は、ユーザが視聴を所望する言語の選択を行う言語選択画面を示す説明図である。図７は、ユーザが視聴を所望する言語の選択が終わった後、言語別放送局リストの作成の実行の可否を選択する言語別リスト作成画面を示す説明図である。図８は、受信可能な放送局において、それぞれの放送局が放送番組の音声として用いる言語の一覧を示す表である。図９は、図８の表に示す放送局毎の言語の一覧を、言語毎に分類した表である。図１０は、番組音声の言語による放送局抽出を行った際に表示される言語別放送局リストの画面遷移例を示す説明図である。
【００２５】
番組音声の言語による放送局抽出方法を備える電子機器たるデジタルテレビジョン受像機の構成について、図１に基づいて説明する。１はデジタルテレビジョン受像機である。２は、デジタルテレビジョン受像機１が放送電波を受信し、映像音声信号とするためのチューニング手段たるチューナである。３はチューナ２により受信した映像音声信号を表示及び再生するための映像音声処理手段である。４はデジタルテレビジョン受像機１の動作の制御を行うと共に言語別放送局リストの作成及び番組音声の言語毎の視聴頻度を管理する制御手段たるマイコンである。４１はマイコン４により作成された言語別放送局リストを言語毎に切り替えて表示するための言語別放送局表示切替手段である。４２は、マイコン４により作成された言語別放送局リストの並び換えを行う放送局リスト並び換え手段である。５は、マイコン４により管理される言語毎の視聴頻度や、後述の言語情報コードに対応する言語名を記憶する記憶手段である。６はユーザがデジタルテレビジョン受像機１の操作を行うための操作手段である。７は、映像音声処理手段により出力される映像及び音声を、表示及び再生する表示部である。
【００２６】
次に、本実施例における番組音声の言語による放送局抽出方法を実施するための放送電波のデータ構造について図２〜４に基づいて説明する。図２は放送電波のデータ構造形式であるＴｒａｎｓｐｏｒｔ  Ｓｔｒｅａｍフォーマットの概要を示す説明図である。放送電波は図に示すように、放送番組の映像部分を有する映像データ部、放送番組の複数の音声ストリームを有する音声データ部、放送番組の開始及び終了時間やその他の様々な付加情報等を有する管理情報部とを備え、送信される。この管理情報部は、ＰＳＩＰ（Ｐｒｏｇｒａｍ  Ｓｐｅｃｉｆｉｃ  Ｉｎｆｏｒｍａｔｉｏｎ  Ｐｒｏｔｏｃｏｌ）と呼ばれる番組仕様情報が定義されており、更にこのＰＳＩＰにはＥＩＴ（Ｅｖｅｎｔ  Ｉｎｆｏｒｍａｔｉｏｎ  Ｔａｂｌｅ）と呼ばれる情報が定義される。このＥＩＴはＳＬＤ（Ｓｅｒｖｉｃｅ  Ｌｏｃａｔｉｏｎ  Ｄｅｓｃｒｉｐｔｏｒ）という情報を有しており、このＳＬＤに音声データ部のデータ構造を示す情報が記述されている。
【００２７】
図３は前述のＳＬＤのデータの構造を示す説明図である。図中のｎｕｍｂｅｒ＿ｅｌｅｍｅｎｔｓとは、音声データ部に含まれる音声ストリームの数を示すものであり、続いて説明するｆｏｒループのループ条件に用いられる。図中のｆｏｒループには、前記音声データ部が含む放送番組の音声に関する情報が、音声ストリーム毎に定義されている。音声ストリームの言語情報は、ｆｏｒループに定義されるＩＳＯ＿６３９＿ｌａｎｇｕａｇｅ＿ｃｏｄｅにより設定される。これは、音声データ部に含まれる音声ストリームそれぞれが、どの言語によるものかをＩＳＯ６３９で定義される言語情報コード（例えば日本語はｊｐ、英語ではｅｎ等）により表すものである。図４は、前述のｎｕｍｂｅｒ＿ｅｌｅｍｅｎｔｓ及びＩＳＯ＿６３９＿ｌａｎｇｕａｇｅ＿ｃｏｄｅのデータ構造を概念的に示す説明図である。ｎｕｍｂｅｒ＿ｅｌｅｍｅｎｔｓにより音声データ部が有する音声ストリームの数が定義され、以下にＩＳＯ６３９＿ｌａｎｇｕａｇｅ＿ｃｏｄｅが、音声ストリームの数だけ連なっている。即ち、音声データ部に日本語、英語、フランス語の３種類の音声ストリームを有する場合、ｎｕｍｂｅｒ＿ｅｌｅｍｅｎｔｓは３となり、それぞれの言語情報コードは、「ｊｐ」「ｅｎ」「ｆｒ」が設定される。
【００２８】
次に、番組音声の言語による放送局抽出方法を備える電子機器たるデジタルテレビジョン受像機の動作について、図５に基づいて説明する。電源オン時若しくは言語情報コード設定画面等からユーザにより言語情報コードを設定される（Ｓ０００１）。続いて、受信可能な放送局の言語別放送局リストを作成するかをユーザに選択させる（Ｓ０００２）。ユーザが言語別放送局リストを作成するとした場合、全周波数帯域に対してチャンネルスキャンを行い（Ｓ０００３）、受信可能な放送局の放送番組がどの種類の言語により放送を行っているかを、前述の言語情報コードたるＩＳＯ６３９＿ｌａｎｇｕａｇｅ＿ｃｏｄｅにより識別し、言語毎に放送局を分類する言語別放送局リストを作成する（Ｓ２００４）。これを全周波数帯のチャンネルスキャンが終了するまで継続し（Ｓ０００５）、チャンネルスキャンが終了すると、通常の利用状態に戻る。
【００２９】
続いて、番組音声の言語による放送局抽出方法を実施する際の言語選択画面について、図６に基づいて説明する。図６は、言語選択画面を示す説明図である。この画面はデジタルテレビジョン受像機の電源をオンにした際、若しくはユーザがメニュー画面等から選択することにより表示され、操作手段６によりカーソルを移動させ、確定操作を行うことで、所望の言語名を選択し、デジタルテレビジョン受像機に記憶させることができる。
【００３０】
次に、本実施例における番組音声の言語による放送局抽出方法により放送局の言語別放送局リストの作成を指示する言語別リスト作成指示画面について、図７に基づいて説明する。この言語別リスト作成指示画面において、ＹＥＳを選択して確定操作を行うことにより、図５のステップ０００３〜ステップ０００５に示すよう言語別放送局リスト作成を実施する。
【００３１】
次に、作成された言語別放送局リストの表示方法について、図８〜図１０に基づいて説明する。例えば、とある場所において受信できる放送局において、各放送局は図８に示すような言語による放送を行っているとする。これら放送局から送信される放送電波は、本実施例のデジタルテレビジョン受像機によると、マイコン４は、図５のフローチャートに基づき、言語別放送局リストとして図９に示すように言語毎に放送局を分類することができる。これを、ユーザが確認できるよう、各言語を示すＩＳＯ６３９＿ｌａｎｇｕａｇｅ＿ｃｏｄｅに対応する言語名を、記憶手段５より読み出し、図１０に示すように言語名及び当該言語による放送を行う放送局の一覧を表示部７に表示する。このとき、ＩＳＯ６３９＿ｌａｎｇｕａｇｅ＿ｃｏｄｅを言語名に変換して表示を行うが、該コードに対応する言語名を記憶手段５から読み出すことができない場合は、コードそのものを表示する。例えば、記憶部にＫｏに対応する言語名を指す「Ｋｏｒｅａｎ」が存在しない場合は、図中のＫｏのようにコードにより表示を行う。放送局の一覧は、言語別放送局表示切替手段４１を、操作手段６により操作することにより、ユーザは表示される放送局の一覧を切り替えることができ、所望の言語による放送を行う放送局を簡単に確認することができる。また、ユーザが通常利用時の音声の、言語別の視聴頻度を管理し、記憶手段５に記憶し、放送局リスト並び換え手段４２により並び換えを行い、表示される放送局の一覧の言語順を、視聴頻度順に並び替えることもできる。例えば、図１０では日本語、英語、フランス語、スペイン語、韓国語という順番で言語別放送局一覧が切り替わるが、ある一定の期間でユーザが視聴した放送番組の視聴時間が、割合の大きい順に英語、日本語、スペイン語、フランス語、韓国語であった場合、放送局の一覧の表示順をこの順番に並び替えて表示することができる。
【００３２】
以上のように構成される、本実施例におけるデジタルテレビジョン受像機は、受信可能な放送局のそれぞれが放送番組の音声に使用する言語を、全周波数帯においてチャンネルスキャンし、言語情報コードたるＩＳＯ６３９＿ｌａｎｇｕａｇｅ＿ｃｏｄｅ毎に放送局を分類し、電源オン時に設定する、若しくは任意のタイミングによりユーザが設定する言語による放送局を一覧表示することにより、ユーザが視聴を所望する言語の放送局を容易に確認することができ、利便性が向上する。また、言語別放送局表示切替手段４１を有することで、他の言語による放送を行う放送局の一覧に切り替えることができ、他の言語による放送を行っている放送局の確認を行うことができる。また、放送局の一覧の表示順を、ユーザの視聴頻度により並べ替える放送局リスト並び換え手段４２により、ユーザは自身が視聴を所望する言語による放送局を容易に確認することができる。
【００３３】
以上、本発明の実施例を詳述したが、本発明は前記実施例に限定されるものではなく、本発明の要旨の範囲内で種々の変形実施が可能である。例えば、電子機器をデジタルテレビジョン受像機１としたが、チューナ機能及び映像音声出力機能を備える電子機器であれば何ら問題は無い、マイコン４に言語別放送局表示切替手段４１及び放送局リスト並び換え手段４２を備え、一つのマイコンとして説明したが、これに限定せずに、複数のマイコンとして実装しても何ら問題は無い。
【図面の簡単な説明】
【００３４】
【図１】本発明の実施例を示す、デジタルテレビジョン受像機の構成を示すブロック図である。
【図２】同上、デジタルテレビジョン受像機が受信する放送電波のデータ構造を示す説明図である。
【図３】同上、放送電波のデータ構造の一部であるＳＬＤの構造を示す説明図である。
【図４】同上、ＳＬＤにて設定される言語情報コードの概念を示す説明図である。
【図５】同上、デジタルテレビジョン受像機の放送局の言語別放送局リスト作成の動作を示すフローチャート図である。
【図６】同上、言語設定画面を示す説明図である。
【図７】同上、言語別リスト作成指示画面を示す説明図である。
【図８】同上、放送局毎に使用される言語の例を示す表である。
【図９】同上、図８に示す放送局を、使用される言語毎に分類した例を示す表である。
【図１０】同上、図９により分類された言語別放送局リストの表示遷移を示す説明図である。
【符号の説明】
【００３５】
１    デジタルテレビジョン受像機（電子機器）
２    チューナ（チューニング手段）
４    マイコン（制御手段）
４１  言語別放送局表示切替手段
４２  放送局リスト並び換え手段
５    記憶手段
６    操作手段
７    表示部（映像音声出力手段）
【図１】
2007201912.tif 000003
【図２】
2007201912.tif 000004
【図３】
2007201912.tif 000005
【図４】
2007201912.tif 000006
【図５】
2007201912.tif 000007
【図６】
2007201912.tif 000008
【図７】
2007201912.tif 000009
【図８】
2007201912.tif 000010
【図９】
2007201912.tif 000011
【図１０】
2007201912.tif 000012